(57)【要約】【課題】  ユニバーサルデザインを考慮して，ユーザが所望のユーザインタフェースを簡易かつ容易に取り込むことが可能なリモートコントロールシステム等を提供する。【解決手段】  少なくとも，２以上のユーザインタフェースプログラムを記憶する記憶部と，リモコン装置との間で近距離無線通信を行ってユーザインタフェースプログラムを送信する近距離無線通信部と，リモコン装置からの操作信号を受信する受信部と，を有する操作対象装置と，少なくとも，操作対象装置との間で近距離無線通信を実行してユーザインタフェースプログラムを受信する近距離無線通信部と，ユーザインタフェースプログラムに基づいてユーザインタフェースを表示する表示部と，表示部に表示されたユーザインタフェースを操作可能な操作部と，ユーザインタフェースの操作に基づいて，対応する操作信号を操作対象装置に対して送信する操作信号送信部と，を有するリモコン装置と，からなる。【選択図】  図１
2005303659.tif 000002
【特許請求の範囲】
【請求項１】
少なくとも，２以上のユーザインタフェースプログラムを記憶する記憶部と，リモコン装置との間で近距離無線通信を行って前記リモコン装置に対してユーザインタフェースプログラムを送信する近距離無線通信部と，前記リモコン装置からの操作信号を受信する操作信号受信部と，を有する操作対象装置と，
少なくとも，前記操作対象装置との間で近距離無線通信を実行して，前記操作対象装置に格納されているユーザインタフェースプログラムを受信する近距離無線通信部と，前記受信したユーザインタフェースプログラムに基づいてユーザインタフェースを表示する表示部と，前記表示部に表示されたユーザインタフェースを操作可能な操作部と，前記ユーザインタフェースの操作に基づいて，対応する操作信号を前記操作対象装置に対して送信する操作信号送信部と，を有するリモコン装置と，からなる，
ことを特徴とするリモートコントロールシステム。
【請求項２】
前記リモコン装置は,前記操作対象装置から提供されるユーザインタフェースについて，ユニバーサルデザインモードと，個人嗜好モードとを選択可能である，ことを特徴とする請求項１に記載のリモートコントロールシステム。
【請求項３】
前記リモコン装置の初期設定は，ユニバーサルデザインモードに設定されていると共に，
前記操作対象装置は，前記ユニバーサルデザインモードに設定されたリモコン装置と近距離無線通信を実行した場合には,ユニバーサルデザインモードのユーザインタフェースを前記リモコン装置に対して近距離無線通信により送信する，
ことを特徴とする請求項２に記載のリモートコントロールシステム。
【請求項４】
前記操作対象装置は，近距離無線通信を実行しているリモコン装置が前記個人嗜好モードに設定されている場合には,前記リモコン装置に対して，複数のユーザインタフェースプログラムからなるユーザインタフェースプログラムリストを近距離無線通信により送信し，
前記リモコン装置は，前記送信されたユーザインタフェースプログラムリストを前記表示部に表示して，ユーザにより選択されたユーザインタフェースプログラムの送信を近距離無線通信により前記操作対象装置に要求し，
前記操作対象装置は，前記要求されたユーザインタフェースプログラムを前記リモコン装置に対して近距離無線通信により送信する，
ことを特徴とする請求項２または３に記載のリモートコントロールシステム
【請求項５】
前記リモコン装置は，さらに，複数の異なる操作対象装置から受信したユーザインタフェースをユーザインタフェースリストとして記憶する記憶部を有しており，
前記リモコン装置は，ユーザの要求に応じて，ユーザインタフェースリストを前記表示部に表示した後，さらに，ユーザにより選択されたユーザインタフェースを前記表示部に表示する，
ことを特徴とする請求項１，２，３あるいは４項のうちいずれか１項に記載のリモートコントロールシステム。
【請求項６】
前記リモコン装置は，前記操作対象装置との間で近距離無線通信を実行した場合に,前記リモコン装置に操作対象装置のユーザインタフェースプログラムが既に保存されているか否かを判断可能であると共に，
前記リモコン装置は，前記操作対象装置のユーザインタフェースプログラムが既に保存されていると判断する場合には，前記リモコン装置の表示部に前記保存されている当該操作対象装置のユーザインタフェースを表示する，ことを特徴とする請求項１，２，３，４，あるいは５項のうちいずれか１項に記載のリモートコントロールシステム。
【請求項７】
前記リモコン装置は，前記操作対象装置のユーザインタフェースが保存されていないと判断する場合には，当該操作対象装置のユーザインタフェースを前記リモコン装置に保存すると共に，当該操作対象装置のユーザインタフェースを前記リモコン装置の表示部に表示する，ことを特徴とする請求項６に記載のリモートコントロールシステム。
【請求項８】
少なくとも，
２以上のユーザインタフェースプログラムを記憶する記憶部と，
リモコン装置との間で近距離無線通信を行って前記リモコン装置に対してユーザインタフェースプログラムを送信する近距離無線通信部と，
前記リモコン装置からの操作信号を受信する操作信号受信部と，を有する，
ことを特徴とする操作対象装置。
【請求項９】
前記操作対象装置は，近距離無線通信を実行しているリモコン装置がユニバーサルデザインモードに設定されているか，あるいは個人嗜好モードに設定されているかを判断可能であり，かつ，
前記操作対象装置は，前記リモコン装置がユニバーサルデザインモードに設定されていると判断する場合には,前記リモコン装置に対してユニバーサルデザインモードのユーザインタフェースプログラムを前記リモコン装置に対して近距離無線通信により送信可能である，
ことを特徴とする請求項８記載の操作対象装置。
【請求項１０】
前記操作対象装置は，近距離無線通信を実行しているリモコン装置がユニバーサルデザインモードに設定されているか，あるいは個人嗜好モードに設定されているかを判断可能であり，かつ，前記操作対象装置は，前記リモコン装置が個人嗜好モードに設定されていると判断する場合には，複数のユーザインタフェースプログラムからなるユーザインタフェースプログラムリストを前記リモコン装置に対して近距離無線通信により送信可能である， 
ことを特徴とする請求項８または９に記載の操作対象装置。
【請求項１１】
少なくとも，
操作対象装置との間で近距離無線通信を実行して，前記操作対象装置に格納されているユーザインタフェースプログラムを受信する近距離無線通信部と，
前記受信したユーザインタフェースプログラムに基づいてユーザインタフェースを表示する表示部と，
前記表示部に表示されたユーザインタフェースを操作可能な操作部と，
前記ユーザインタフェースの操作に基づいて，対応する操作信号を前記操作対象装置に対して送信する操作信号送信部と，を有する，
ことを特徴とするリモコン装置。
【請求項１２】
前記リモコン装置は,前記操作対象装置から提供されるユーザインタフェースについて，ユニバーサルデザインモードと，個人嗜好的モードとを選択可能である，ことを特徴とする請求項１１に記載のリモコン装置
【請求項１３】
前記リモコン装置の初期設定は，ユニバーサルデザインモードに設定されていると共に，前記ユニバーサルデザインモードに設定されたリモコン装置が前記操作対象装置と近距離無線通信を実行した場合には, 前記操作対象装置からユニバーサルデザインモードのユーザインタフェースを近距離無線通信により受信可能である，
ことを特徴とする請求項１２に記載のリモコン装置。
【請求項１４】
前記リモコン装置が個人嗜好モードに設定されている場合には，前記操作対象装置から，複数のユーザインタフェースプログラムからなるユーザインタフェースプログラムリストを受信可能であり，
前記操作対象装置から受信した前記複数のユーザインタフェースプログラムからなるユーザインタフェースプログラムリストを前記表示部に表示可能であり，
ユーザにより選択されたユーザインタフェースプログラムの送信を近距離無線通信により前記操作対象装置に要求可能であり，及び，
前記操作対象装置から送信されたユーザインタフェースプログラムを近距離無線通信により受信可能である，
ことを特徴とする請求項１２または１３に記載のリモコン装置
【請求項１５】
前記リモコン装置は，さらに，複数の異なる操作対象装置から受信したユーザインタフェースをユーザインタフェースリストとして記憶する記憶部を有しており，
前記リモコン装置は，ユーザの要求に応じて，ユーザインタフェースリストを前記表示部に表示した後，さらに，ユーザにより選択されたユーザインタフェースを前記表示部に表示する，
ことを特徴とする請求項１１，１２，１３あるいは１４項のうちいずれか１項に記載のリモコン装置。
【請求項１６】
前記リモコン装置は，前記操作対象装置との間で近距離無線通信を実行した場合に,前記リモコン装置に操作対象装置のユーザインタフェースプログラムが既に保存されているか否かを判断可能であると共に，
前記リモコン装置は，前記操作対象装置のユーザインタフェースプログラムが既に保存されていると判断する場合には，前記リモコン装置の表示部に前記保存されている当該操作対象装置のユーザインタフェースを表示する，ことを特徴とする請求項１１，１２，１３，１４，あるいは１５項のうちいずれか１項に記載のリモコン装置。
【請求項１７】
前記リモコン装置は，前記操作対象装置のユーザインタフェースが保存されていないと判断する場合には，当該操作対象装置のユーザインタフェースを前記リモコン装置に保存すると共に，当該操作対象装置のユーザインタフェースを前記リモコン装置の表示部に表示する，ことを特徴とする請求項１６に記載のリモコン装置。
【請求項１８】
操作対象装置は，リモコン装置との間で近距離無線通信を行って，前記リモコン装置に対してユーザインタフェースプログラムを送信し，
前記リモコン装置は，前記操作対象装置から送信されたユーザインタフェースプログラムを近距離無線通信により受信し，
前記リモコン装置は，前記受信したユーザインタフェースプログラムに基づいてユーザインタフェースを表示部に表示し，
前記リモコン装置は，さらに，前記表示部に表示された前記ユーザインタフェースの操作に基づいて，対応する操作信号を前記操作対象装置に対して送信する，
ことを特徴とするリモートコントロール方法。
【請求項１９】
前記操作対象装置は，近距離無線通信を実行しているリモコン装置がユニバーサルデザインモードに設定されているか，あるいは個人嗜好モードに設定されているかを判断し，
前記操作対象装置は，前記リモコン装置がユニバーサルデザインモードに設定されていると判断する場合には,前記リモコン装置に対してユニバーサルデザインモードのユーザインタフェースプログラムを前記リモコン装置に対して近距離無線通信により送信する，
ことを特徴とする請求項１８に記載のリモートコントロール方法
【請求項２０】
前記操作対象装置は，近距離無線通信を実行しているリモコン装置がユニバーサルデザインモードに設定されているか，あるいは個人嗜好モードに設定されているかを判断し，
前記操作対象装置は，前記リモコン装置が個人嗜好モードに設定されていると判断する場合には，複数のユーザインタフェースプログラムからなるユーザインタフェースプログラムリストを前記リモコン装置に対して近距離無線通信により送信し，
前記リモコン装置は，前記送信されたユーザインタフェースプログラムリストを前記表示部に表示し，
前記リモコン装置は，ユーザにより選択されたユーザインタフェースプログラムの送信を近距離無線通信により前記操作対象装置に要求し，
前記操作対象装置は，前記要求されたユーザインタフェースプログラムを前記リモコン装置に対して近距離無線通信により送信する，
ことを特徴とする請求項１８または１９に記載のリモートコントロール方法
【請求項２１】
前記リモコン装置は，複数の異なる操作対象装置のユーザインタフェースからなるユーザインタフェースリストを記憶し，
前記リモコン装置は，ユーザの要求に応じて，前記ユーザインタフェースリストを前記表示部に表示した後，ユーザにより選択されたユーザインタフェースを前記表示部に表示する，
ことを特徴とする請求項１８，１９あるいは２０項のうちいずれか１項に記載のリモートコントロール方法。
【請求項２２】
前記リモコン装置は，前記操作対象装置との間で近距離無線通信を実行した場合に,前記リモコン装置に操作対象装置のユーザインタフェースプログラムが既に保存されているか否かを判断し，
前記リモコン装置は，前記操作対象装置のユーザインタフェースプログラムが既に保存されていると判断する場合には，前記リモコン装置の表示部に前記保存されている当該操作対象装置のユーザインタフェースを表示する，ことを特徴とする請求項１８，１９，２０，あるいは２１項のうちいずれか１項に記載のリモートコントロール方法。
【請求項２３】
前記リモコン装置は，前記操作対象装置のユーザインタフェースが保存されていないと判断する場合には，当該操作対象装置のユーザインタフェースを前記リモコン装置に保存すると共に，当該操作対象装置のユーザインタフェースを前記リモコン装置の表示部に表示する，ことを特徴とする請求項２２に記載のリモートコントロール方法。
【発明の詳細な説明】
【技術分野】
【０００１】
本発明は，リモートコントロールシステム，操作対象装置，リモコン装置，及びリモートコントロール方法に関し，さらに詳細には，ユーザの嗜好に応じた所望のユーザインタフェースを使用して，一つのリモコン装置で複数の異なる操作対象装置を遠隔操作することが可能なリモートコントロールシステム等に関する。
【背景技術】
【０００２】
従来においては，操作対象装置を遠隔操作するためのリモコン装置（リモートコントロール装置：遠隔操作装置）は，操作対象装置の数だけ必要であるばかりでなく，各リモコン装置の操作方法も異なるので，リモコン装置を使用するのに不便であった。このため，近年においては，一つのリモコン装置で複数の操作対象装置を遠隔操作可能なリモコン装置などが開発されている。
【０００３】
例えば，特許文献１には，複数の制御機器に対応する複数のコントロールデータを記憶する記憶手段と，当該コントロールデータを外部から交換可能に入力する入力する入力手段を備えたリモートコントロール機器が開示されている。上記特許文献１のリモートコントロール機器においては，被制御機器の種類・数に拘わらず一つのリモコン装置でリモート制御することできる。
【０００４】
また，特許文献２には，テレビ画面などの画面にネットワーク接続された機器のＧＵＩ（Ｇｒａｐｈｉｃ  Ｕｓｅｒ  Ｉｎｔｅｒｆａｃｅ）を表示し，かかるＧＵＩをリモコンで操作する家電機器のリモートコントロール方法が開示されている。上記特許文献２のリモートコントロール方法では，ネットワーク内における各機器の拡張や変更及びネットワーク自体の拡張に対して柔軟に対応することができる。
【０００５】
また，特許文献３には，リモコンの表示部に操作ボタン（ＧＵＩ）が表示され，かかる操作ボタン（ＧＵＩ）を操作することにより，ネットワーク接続された機器を操作することが可能な電気機器の遠隔制御システムが開示されている。上記特許文献３のシステムにおいては，各電気機器毎にリモコンを一台ずつ設ける必要がなく，また，複数種類の電気機器の遠隔制御信号を一台のリモコン装置に記憶させるという煩雑な操作も必要とすることはない。
【０００６】
ところで，従来より，１つのユーザインタフェースを，例えば，障害の有無，年齢，性別，国籍，人種等にかかわらす多様な人々が容易かつ好適に使用することが可能なユニバーサルデザインという考え方がある。このようなユニバーサルデザインは，個人の嗜好に合わせた複雑なユーザインタフェースやデザイン性を重視したユーザインタフェースとは相容れない部分がある。このような相反する考え方のユーザインタフェース（即ち，ユニバーサルデザインによるユーザインタフェースと，個人の嗜好に合わせたユーザインタフェースと）を好適に融合させることにより，ユーザに対して最も好適なユーザインタフェースを提供することが可能となる。
【０００７】
【特許文献１】特開平１１−１３６７７６号公報
【特許文献２】特開平９−２３８３８５号公報
【特許文献３】特開２００１−３６９７６号公報
【発明の開示】
【発明が解決しようとする課題】
【０００８】
しかしながら，上記特許文献１〜特許文献３においては，一つのリモコン装置で複数の操作対象装置を操作することは可能であるが，ユーザの年齢層やリモコン装置の使用頻度などの個人的嗜好やユニバーサルデザインが融合されたものではなかった。
【０００９】
さらに，ユーザインタフェースは，ユーザの年齢層やリモコン装置の使用頻度などが各個人毎に異なるため，各上記ユニバーサルデザインを考慮したユーザインタフェースと，個人嗜好を考慮したユーザインタフェースとを融合させて，個々のユーザが満足するユーザインタフェースを１つのリモコン装置を用いて提供することは困難であった。このように，従来においては，装置提供者は，ユニバーサルデザインを考慮しつつ，個人の嗜好を満足させることが可能な，複数のユーザインタフェースを有するリモコン装置を提供するという技術的課題を有していた。
【００１０】
かかる複数のユーザインタフェースをリモコン装置に提供する方法として，一つの操作対象装置に対してユーザ層毎に異なるユーザインタフェースを有するリモコン装置を提供する方法や，プログラムを配布する方法が考えられる。
【００１１】
しかしながら，一つの操作対象装置に対して，ユーザ層毎に数種類のユーザインタフェースを有するリモコン装置を作製する方法では，製造コストが上がり，リモコン装置の単価が上がってしまう，という問題がある。
【００１２】
一方各ユーザにユーザインタフェースプログラムを配布する方法では，ユーザ自身が複雑な設定をしなければならないため，例えば，幼少層，高齢者層などのユーザは使用することが困難であった。このように，装置提供者は，ユニバーサルデザインを考慮しつつ，個人の嗜好を満足させることが可能な，複数のユーザインタフェースを有するリモコン装置を提供することが困難であった。
【００１３】
したがって，本発明の目的は，ユーザインタフェースごとにリモコン装置を作製する必要がなく，かつユニバーサルデザインを考慮して，ユーザが所望のユーザインタフェースを簡易かつ容易に取り込むことが可能な新規かつ改良されたリモートコントロールシステム等を提供することにある。
【００１４】
複数の操作対象装置のユーザインタフェースがリモコン装置に記憶されている場合，考えられる方法としてリストの中から操作対象装置を選択することだか，このような選択方法ではリストから選択するという操作が必要となる。本発明は操作対象装置にリモコン装置を近付けることで操作対象装置を選択することができる。
【００１５】
したがって，本発明の他の目的は，リモコン装置に操作対象装置のユーザインタフェースが既に保存されているか否かにかかわらず，ユーザがリモコン装置を操作対象装置に近付けるだけで操作対象装置を選択またはユーザインタフェースプログラムを取り込んで操作することが可能な新規かつ改良されたリモートコントロールシステム等を提供することにある。
【課題を解決するための手段】
【００１６】
上記課題を解決するため，本発明の第１の観点においては，少なくとも，２以上のユーザインタフェースプログラムを記憶する記憶部と，リモコン装置との間で近距離無線通信を行って前記リモコン装置に対してユーザインタフェースプログラムを送信する近距離無線通信部と，前記リモコン装置からの操作信号を受信する操作信号受信部と，を有する操作対象装置と，少なくとも，前記操作対象装置との間で近距離無線通信を実行して，前記操作対象装置に格納されているユーザインタフェースプログラムを受信する近距離無線通信部と，前記受信したユーザインタフェースプログラムに基づいてユーザインタフェースを表示する表示部と，前記表示部に表示されたユーザインタフェースを操作可能な操作部と，前記ユーザインタフェースの操作に基づいて，対応する操作信号を前記操作対象装置に対して送信する操作信号送信部とを有するリモコン装置と，からなる，ことを特徴とするリモートコントロールシステムが提供される。
【００１７】
上記記載の発明では，各種操作対象装置内に複数のユーザインタフェースを記述したプログラムを保存してあるので，ユーザはリモコン装置を操作対象装置と近距離無線通信させるだけで所望のユーザインタフェースプログラムをリモコン装置に読み込むことができる。このことにより，ユーザは，１つのリモコン装置を使用して，各種操作対象装置を所望のユーザインタフェースにより簡易かつ容易に操作することができる。一方，装置提供者は，複数のユーザインタフェースプログラムを操作対象装置の記憶部に保存するだけで，リモコン装置に対してユーザインタフェースを提供することができるので，ユーザインタフェースごとに複数のリモコン装置を作製する必要もない。
【００１８】
また，前記リモコン装置は,前記操作対象装置から提供されるユーザインタフェースについて，ユニバーサルデザインモードと，個人嗜好モードとを選択可能である，如く構成すれば，例えば，障害の有無，年齢，性別，国籍，人種等にかかわらす多様な人々が容易かつ好適に使用することが可能なユニバーサルデザインを考慮したユーザインタフェースと，個人の嗜好に合わせた複雑なユーザインタフェースやデザイン性を重視したユーザインタフェースなどの個人嗜好ユーザインタフェースとを一つのリモコン装置で好適に選択できるので，ユーザに対して最も好適なユーザインタフェースを提供することが可能となる。
【００１９】
また，前記リモコン装置の初期設定は，ユニバーサルデザインモードに設定されていると共に，前記操作対象装置は，前記ユニバーサルデザインモードに設定されたリモコン装置と近距離無線通信を実行した場合には,ユニバーサルデザインモードのユーザインタフェースを前記リモコン装置に対して近距離無線通信により送信する，如く構成すれば，例えば，幼少層，高齢者層などのユーザは，リモコン装置を操作対象装置に近付けるだけでユニバーサルデザインを考慮したユーザインタフェースを表示できるので，ユーザ自身が複雑な設定をすることなく，リモコン装置を好適に使用することができる。
【００２０】
また，前記操作対象装置は，近距離無線通信を実行しているリモコン装置が前記個人嗜好モードに設定されている場合には,前記リモコン装置に対して，複数のユーザインタフェースプログラムからなるユーザインタフェースプログラムリストを近距離無線通信により送信し，前記リモコン装置は，前記送信されたユーザインタフェースプログラムリストを前記表示部に表示して，ユーザにより選択されたユーザインタフェースプログラムの送信を近距離無線通信により前記操作対象装置に要求し，前記操作対象装置は，前記要求されたユーザインタフェースプログラムを前記リモコン装置に対して近距離無線通信により送信する，如く構成すれば，ユーザは，複数のユーザインタフェースからなるユーザインタフェースリストから所望のユーザインタフェースを選択してリモコン装置に読み込むことができる。
【００２１】
また，前記リモコン装置は，さらに，複数の異なる操作対象装置から受信したユーザインタフェースをユーザインタフェースリストとして記憶する記憶部を有しており，前記リモコン装置は，ユーザの要求に応じて，ユーザインタフェースリストを前記表示部に表示した後，さらに，ユーザにより選択されたユーザインタフェースを前記表示部に表示する，如く構成すれば，ユーザは，リモコン装置に格納された各種操作対象装置から取得したユーザインタフェースからなるユーザインタフェースリストから所望のユーザインタフェースを使用して当該操作対象装置を簡易かつ容易に操作することができる。
【００２２】
また，前記リモコン装置は，前記操作対象装置との間で近距離無線通信を実行した場合に,前記リモコン装置に操作対象装置のユーザインタフェースプログラムが既に保存されているか否かを判断可能であると共に，前記リモコン装置は，前記操作対象装置のユーザインタフェースプログラムが既に保存されていると判断する場合には，前記リモコン装置の表示部に前記保存されている当該操作対象装置のユーザインタフェースを表示する，如く構成すれば,
ユーザインタフェースのリストから選択することなく所望のユーザインタフェースを選択することができる。
【００２３】
また，前記リモコン装置は，前記操作対象装置のユーザインタフェースが保存されていないと判断する場合には，当該操作対象装置のユーザインタフェースを前記リモコン装置に保存すると共に，当該操作対象装置のユーザインタフェースを前記リモコン装置の表示部に表示する，如く構成すれば,リモコン装置に既に所望のユーザインタフェースが既に保存されていない場合であっても，ユーザインタフェースをリモコン装置に保存することができる。このことにより，ユーザはリモコン装置に既に所望のユーザインタフェースプログラムが保存されているか否かに拘わらず，近付けるという同じ動作でユーザインタフェースプログラムの選択もリモコン装置への読み込みも行うことができる。
【００２４】
上記課題を解決するため，本発明の第２の観点においては，少なくとも，２以上のユーザインタフェースプログラムを記憶する記憶部と，リモコン装置との間で近距離無線通信を行って前記リモコン装置に対してユーザインタフェースプログラムを送信する近距離無線通信部と，前記リモコン装置からの操作信号を受信する操作信号受信部と，を有することを特徴とする操作対象装置が提供される。
【００２５】
上記記載の発明では，装置提供者は，複数のユーザインタフェースプログラムを操作対象装置の記憶部に保存するだけで，リモコン装置に対してユーザインタフェースを提供することができるので，ユーザインタフェースごとに複数のリモコン装置を作製する必要もない。この結果，リモコン装置の製造コストを低減することができるので，リモコン装置の単価を下げることができる。
【００２６】
また，前記操作対象装置は，近距離無線通信を実行しているリモコン装置がユニバーサルデザインモードに設定されているか，あるいは個人嗜好モードに設定されているかを判断可能であり，かつ，前記操作対象装置は，前記リモコン装置がユニバーサルデザインモードに設定されていると判断する場合には,前記リモコン装置に対してユニバーサルデザインモードのユーザインタフェースプログラムを前記リモコン装置に対して近距離無線通信により送信可能である，如く構成すれば，例えば，幼少層，高齢者層などのユーザは，リモコン装置を操作対象装置に近付けるだけでユニバーサルデザインを考慮したユーザインタフェースを選択することができる。この結果，ユーザは，ユーザ自身が複雑な設定をすることなく，リモコン装置を好適に使用することができる。
【００２７】
また，前記操作対象装置は，近距離無線通信を実行しているリモコン装置がユニバーサルデザインモードに設定されているか，あるいは個人嗜好モードに設定されているかを判断可能であり，かつ，前記操作対象装置は，前記リモコン装置が個人嗜好モードに設定されていると判断する場合には，複数のユーザインタフェースプログラムからなるユーザインタフェースプログラムリストを前記リモコン装置に対して近距離無線通信により送信可能である，如く構成すれば，ユーザは，複数のユーザインタフェースからなるユーザインタフェースリストから所望のユーザインタフェースを選択してリモコン装置に読み込むことができる。
【００２８】
上記課題を解決するため，本発明の第３の観点においては，少なくとも，前記操作対象装置との間で近距離無線通信を実行して，前記操作対象装置に格納されているユーザインタフェースプログラムを受信する近距離無線通信部と，前記受信したユーザインタフェースプログラムに基づいてユーザインタフェースを表示する表示部と，前記表示部に表示されたユーザインタフェースを操作可能な操作部と，前記ユーザインタフェースの操作に基づいて，対応する操作信号を前記操作対象装置に対して送信する操作信号送信部と，を有する，ことを特徴とするリモコン装置が提供される。
【００２９】
上記記載の発明では，各種操作対象装置内に複数のユーザインタフェースを記述したプログラムを保存してあるので，ユーザはリモコン装置を操作対象装置に近づけるだけで各種操作対象装置から所望のユーザインタフェースをリモコン装置に読み込むことができる。このことにより，ユーザは，１つのリモコン装置を使用して，各種操作対象装置を所望のユーザインタフェースにより簡易かつ容易に操作することができる。
【００３０】
また，前記リモコン装置は,前記操作対象装置から提供されるユーザインタフェースについて，ユニバーサルデザインモードと，個人嗜好的モードとを選択可能である，如く構成すれば,
例えば，障害の有無，年齢，性別，国籍，人種等にかかわらす多様な人々が容易かつ好適に使用することが可能なユニバーサルデザインを考慮したユーザインタフェースと，個人の嗜好に合わせた複雑なユーザインタフェースやデザイン性を重視したユーザインタフェースなどの個人嗜好ユーザインタフェースとを一つのリモコン装置で好適に選択できるので，ユーザに対して最も好適なユーザインタフェースを提供することが可能となる。
【００３１】
また，前記リモコン装置の初期設定は，ユニバーサルデザインモードに設定されていると共に，前記ユニバーサルデザインモードに設定されたリモコン装置が前記操作対象装置と近距離無線通信を実行した場合には, 前記操作対象装置からユニバーサルデザインモードのユーザインタフェースを近距離無線通信により受信可能である，如く構成すれば，例えば，幼少層，高齢者層などのユーザは，リモコン装置を操作対象装置に近付けるだけでユニバーサルデザインを考慮したユーザインタフェースを表示できるので，ユーザ自身が複雑な設定をすることなく，リモコン装置を好適に使用することができる。
【００３２】
また，前記リモコン装置が個人嗜好モードに設定されている場合には，前記操作対象装置から，複数のユーザインタフェースプログラムからなるユーザインタフェースプログラムリストを受信可能であり，前記操作対象装置から受信した前記複数のユーザインタフェースプログラムからなるユーザインタフェースプログラムリストを前記表示部に表示可能であり，ユーザにより選択されたユーザインタフェースプログラムの送信を近距離無線通信により前記操作対象装置に要求可能であり，及び，前記操作対象装置から送信されたユーザインタフェースプログラムを近距離無線通信により受信可能である，如く構成すれば，ユーザは，複数のユーザインタフェースからなるユーザインタフェースリストから所望のユーザインタフェースを選択してリモコン装置に読み込むことができる。
【００３３】
また，前記リモコン装置は，さらに，複数の異なる操作対象装置から受信したユーザインタフェースをユーザインタフェースリストとして記憶する記憶部を有しており，前記リモコン装置は，ユーザの要求に応じて，ユーザインタフェースリストを前記表示部に表示し，さらに，ユーザにより選択されたユーザインタフェースを前記表示部に表示する，如く構成すれば，ユーザは，各種操作対象装置のユーザインタフェースリストを使用して所望のユーザインタフェースを簡易かつ容易に選択することができる。
【００３４】
また，前記リモコン装置は，前記操作対象装置との間で近距離無線通信を実行した場合に,前記リモコン装置に操作対象装置のユーザインタフェースプログラムが既に保存されているか否かを判断可能であると共に，前記リモコン装置は，前記操作対象装置のユーザインタフェースプログラムが既に保存されていると判断する場合には，前記リモコン装置の表示部に前記保存されている当該操作対象装置のユーザインタフェースを表示する，如く構成すれば,
ユーザインタフェースのリストから選択することなく所望のユーザインタフェースを選択することができる。
【００３５】
また，前記リモコン装置は，前記操作対象装置のユーザインタフェースが保存されていないと判断する場合には，当該操作対象装置のユーザインタフェースを前記リモコン装置に保存すると共に，当該操作対象装置のユーザインタフェースを前記リモコン装置の表示部に表示する，如く構成すれば,リモコン装置に既に所望のユーザインタフェースが既に保存されていない場合であっても，ユーザインタフェースをリモコン装置に保存することができる。このことにより，ユーザはリモコン装置に既に所望のユーザインタフェースプログラムが保存されているか否かに拘わらず，近付けるという同じ動作でユーザインタフェースプログラムの選択もリモコン装置への読み込みも行うことができる。
【００３６】
上記課題を解決するため，本発明の第４の観点においては，操作対象装置は，リモコン装置との間で近距離無線通信を行って，前記リモコン装置に対してユーザインタフェースプログラムを送信し，前記リモコン装置は，前記操作対象装置から送信されたユーザインタフェースプログラムを受信し，前記リモコン装置は，前記受信したユーザインタフェースプログラムに基づいてユーザインタフェースを表示部に表示し，前記リモコン装置は，前記表示部に表示された前記ユーザインタフェースの操作に基づいて，対応する操作信号を前記操作対象装置に対して送信する，ことを特徴とするリモートコントロール方法が提供される。
【００３７】
上記記載の発明では，各種操作対象装置内に複数のユーザインタフェースを記述したプログラムを保存してあるので，ユーザはリモコン装置を操作対象装置と近距離無線通信させるだけで所望のユーザインタフェースプログラムをリモコン装置に読み込むことができる。このことにより，ユーザは，１つのリモコン装置を使用して，各種操作対象装置を所望のユーザインタフェースにより簡易かつ容易に操作することができる。一方，装置提供者は，複数のユーザインタフェースプログラムを操作対象装置の記憶部に保存するだけで，リモコン装置に対してユーザインタフェースを提供することができるので，ユーザインタフェースごとに複数のリモコン装置を作製する必要もない。
【００３８】
また，前記操作対象装置は，近距離無線通信を実行しているリモコン装置がユニバーサルデザインモードに設定されているか，あるいは個人嗜好モードに設定されているかを判断し，前記操作対象装置は，前記リモコン装置がユニバーサルデザインモードに設定されていると判断する場合には,前記リモコン装置に対してユニバーサルデザインモードのユーザインタフェースプログラムを前記リモコン装置に対して近距離無線通信により送信する，如く構成すれば,
例えば，幼少層，高齢者層などのユーザは，リモコン装置を操作対象装置に近付けるだけでユニバーサルデザインを考慮したユーザインタフェースを表示できるので，ユーザ自身が複雑な設定をすることなく，リモコン装置を好適に使用することができる。
【００３９】
また，前記操作対象装置は，近距離無線通信を実行しているリモコン装置がユニバーサルデザインモードに設定されているか，あるいは個人嗜好モードに設定されているかを判断し，前記操作対象装置は，前記リモコン装置が個人嗜好モードに設定されていると判断する場合には，複数のユーザインタフェースプログラムからなるユーザインタフェースプログラムリストを前記リモコン装置に対して近距離無線通信により送信し，前記リモコン装置は，前記送信されたユーザインタフェースプログラムリストを前記表示部に表示し，前記リモコン装置は，ユーザにより選択されたユーザインタフェースプログラムの送信を近距離無線通信により前記操作対象装置に要求し，前記操作対象装置は，前記要求されたユーザインタフェースプログラムを前記リモコン装置に対して近距離無線通信により送信する，如く構成すれば，ユーザは，複数のユーザインタフェースからなるユーザインタフェースリストから所望のユーザインタフェースを選択してリモコン装置に読み込むことができる。 
【００４０】
また，前記リモコン装置は，複数の異なる操作対象装置のユーザインタフェースからなるユーザインタフェースリストを記憶し，前記リモコン装置は，ユーザの要求に応じて，前記ユーザインタフェースリストを前記表示部に表示した後，ユーザにより選択されたユーザインタフェースを前記表示部に表示する，如く構成すれば，ユーザは，リモコン装置に格納された各種操作対象装置から取得したユーザインタフェースからなるユーザインタフェースリストから所望のユーザインタフェースを使用して当該操作対象装置を簡易かつ容易に操作することができる。
【００４１】
また，前記リモコン装置は，前記操作対象装置との間で近距離無線通信を実行した場合に,前記リモコン装置に操作対象装置のユーザインタフェースプログラムが既に保存されているか否かを判断し，前記リモコン装置は，前記操作対象装置のユーザインタフェースプログラムが既に保存されていると判断する場合には，前記リモコン装置の表示部に前記保存されている当該操作対象装置のユーザインタフェースを表示する，如く構成すれば,
ユーザインタフェースのリストから選択することなく所望のユーザインタフェースを選択することができる。
【００４２】
また，前記リモコン装置は，前記操作対象装置のユーザインタフェースが保存されていないと判断する場合には，当該操作対象装置のユーザインタフェースを前記リモコン装置に保存すると共に，当該操作対象装置のユーザインタフェースを前記リモコン装置の表示部に表示する，如く構成すれば,リモコン装置に既に所望のユーザインタフェースが既に保存されていない場合であっても，ユーザインタフェースをリモコン装置に保存することができる。このことにより，ユーザはリモコン装置に既に所望のユーザインタフェースプログラムが保存されているか否かに拘わらず，近付けるという同じ動作でユーザインタフェースプログラムの選択もリモコン装置への読み込みも行うことができる。
【発明の効果】
【００４３】
本発明においては，各種操作対象装置内に複数のユーザインタフェースを記述したプログラムを保存してあるので，ユーザはリモコン装置を操作対象装置と近距離無線通信させるだけで所望のユーザインタフェースプログラムをリモコン装置に読み込むことができる。このことにより，ユーザは，１つのリモコン装置を使用して，各種操作対象装置を所望のユーザインタフェースにより簡易かつ容易に操作することができる。一方，装置提供者は，複数のユーザインタフェースプログラムを操作対象装置の記憶部に保存するだけで，リモコン装置に対してユーザが所望のユーザインタフェースを提供することができるので，ユーザインタフェースごとに複数のリモコン装置を作製する必要もない。また，ユーザはリモコン装置に既に所望のユーザインタフェースプログラムが保存されているか否かに拘わらず，近付けるという同じ動作でユーザインタフェースプログラムの選択もリモコン装置への読み込みも行うことができる。
【発明を実施するための最良の形態】
【００４４】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００４５】
まず，図１に基づいて，第１の実施の形態にかかるリモートコントロールシステム１０について説明する。なお，図１は，第１の実施の形態にかかるリモートコントロールシステム１０の構成を示すブロック図である。
【００４６】
本実施形態にかかるリモートコントロールシステム１０は，図１に示すように，複数の操作対象装置１００−１，１００−２と，複数のリモコン装置２００−１，２００−２とから構成される。
【００４７】
図１に示すように，本実施形態にかかるリモートコントロールシステム１０においては，リモコン装置２０の操作対象である複数の操作対象装置１００−１，１００−２，・・・，として，テレビ１００−１，エアコン１００−２を例に挙げて示している。なお，かかる操作対象装置１００は，テレビ１００−１，エアコン１００−２以外でも，例えばビデオ，パーソナルコンピュータ，洗濯機などのユーザが家庭内で使用する日常的な装置（ユーザが所有する装置）を含むことができ，例えば，自動販売機や券売機などのユーザが所有しない装置も含むことができる。
【００４８】
本実施形態にかかる各種操作対象装置１００には，複数のユーザインタフェースを記述したプログラム（以下，ユーザインタフェースプログラムと称する）が保存されている。
【００４９】
一方，本実施形態にかかるリモコン装置２００は，各種操作対象装置１００と近距離無線通信を実行して，各種操作対象装置１００から所望のユーザインタフェースプログラムを読み込むことができる。ユーザは，所望のユーザインタフェースをリモコン装置に表示させて，当該操作対象装置を操作することができる。
【００５０】
次に，図２に基づいて，本実施形態にかかる操作対象装置２００の構成について説明する。なお，図２は，本実施形態にかかる操作対象装置２００の構成を示すブロック図である。
【００５１】
本実施形態にかかる操作対象装置１００は，無線インタフェース１１０，赤外線ユニット１２０，外部入出力部１３０，制御部１４０，記憶部１５０，内部バス１６０，他の操作対象装置回路１７０などから構成される。
【００５２】
無線インタフェース１１０は，リモコン装置２００と近距離無線通信（例えば，ＩＳＯ／ＩＥＣ  ＩＳ  １８０９２に記載されているＮＦＣ：Ｎｅａｒ  Ｆｉｅｌｄ  Ｃｏｍｕｎｕｃａｔｉｏｎ）を実行する装置である。無線通信インタフェース１００は，アンテナ（図示せず），変調回路（図示せず）などを有しており，所定の無線通信可能範囲内（例えば，０〜２０ｃｍ程度）にリモコン装置２００が近付けられた場合に近距離無線通信（ＮＦＣ）を実行する。本実施形態においては，後述する記憶部１５０に格納されたユーザインタフェースプログラム（あるいはユーザインタフェースプログラムのリスト）をリモコン装置２００に対して送信することができる。なお，本実施形態においては，ユーザインタフェースプログラムの送信方法をＩＳＯ／ＩＥＣ  ＩＳ  １８０９２にあるＮＦＣを使用した例を挙げて説明するが，ＩＥＥＥ８０２．１１ｂなどの無線ＬＡＮなどの他の無線通信方法や，ＵＳＢなどの有線通信方法を使用することもできる。また，本実施形態においては，無線通信インタフェース１１０は，単一の無線インタフェースを採用した例を挙げて説明するが，複数の無線インタフェースを有することもできる。
【００５３】
赤外線ユニット１２０は，リモコン装置２００から送信された赤外線信号を受信して電気信号に変換するユニットである。かかる電気信号は，さらに復調されて，制御信号を生成し，他の操作対象装置回路１７０の制御が実行される。
【００５４】
外部入出力部１３０は，制御部１４０の指示に基づいて，無線インタフェース１１０あるいは赤外線ユニット１２０における通信制御を実行する。制御部１４０は，操作対象装置１００の全体制御を実行する。
【００５５】
記憶部１５０は，図３に示すように，本実施形態にかかる操作対象装置１００のユーザインタフェースプログラムからなるユーザインタフェースプログラムリスト１５２が格納されている。かかるユーザインタフェースプログラムリスト１５２は，例えば，操作対象装置ＩＤ１５２１，ＵＩ識別番号１５２２，ユーザインタフェースプログラム１５２３などから構成される。
【００５６】
操作対象装置ＩＤ１５２１は，操作対象装置１００を識別するための固有の番号である。操作対象装置ＩＤ１５２１は，例えば，製品名，形式，製造番号などを利用して装置対象装置を特定することができるが，装置対象装置を特定することができれば，いかなる識別番号であっても良い。例えば，本実施形態においては，「ＶＥＧＡ」は，テレビの商品名を示し，「６１Ｓ」は，画面サイズを示し，「０１２３」は製造番号を示すことができる。
【００５７】
ＵＩ識別番号１５２２は，各ユーザインタフェースプログラムに付された識別番号である。ＵＩ識別番号１５２２は，例えば，製造会社名，商品名，ユーザインタフェースの種別，種別の番号，などかを利用してユーザインタフェースを識別しているが，ユーザインタフェースプログラムを特定することができれば，いかなる識別番号であってもよい。例えば，本実施形態においては，「ＳＮＹ」は，製造会社名を示し，「ＴＶ」は操作対象がテレビであることを示す。また，「ＵＮＶ」は，例えば障害の有無，年齢，性別，国籍，人種等にかかわらす多様な人々が容易かつ好適に使用することが可能なユニバーサルデザインを考慮したユーザインタフェースであることを示し，「ＹＮＧ」は，若者向けの嗜好を考慮したユーザインタフェースであることを示す。また，「０１」あるいは「０２」は，ユーザインタフェースのバージョンを示す。
【００５８】
ユーザインタフェースプログラム１５２４は，リモコン装置２００に提供されて，リモコン装置の表示部に操作表示画面を提供するプログラムである。本実施形態においては，ユーザインタフェースプログラム自体の構成については，本発明の特徴部ではないのでその説明は省略し，単にインタフェースプログラム０１，インタフェースプログラム０２，インタフェースプログラム０３とのみ記載している。
【００５９】
内部バス１６０は，本実施形態にかかる操作対象装置１００内において，各構成要素間で各種信号を伝送するための伝送手段である。
【００６０】
他の操作対象装置回路１７０は，本実施形態にかかる操作対象装置本来の動作が行われる回路である。例えば，操作対象装置がテレビであれば，テレビとして機能させるための回路であり，例えばエアコンが操作対象装置であれば，操作対象装置をエアコンとして機能させるための回路である。本実施形態においては，他の操作対象装置回路１７０は，本発明の特徴部ではないので，その説明は省略する。
【００６１】
なお，本実施形態にかかる操作対象装置１００として，テレビ，エアコンを例に挙げて説明するが，テレビ，エアコン以外でも，例えばビデオ，パーソナルコンピュータ，洗濯機などのユーザが家庭内で使用する日常的な装置（ユーザが所有する装置）を含むことができ，さらに，自動販売機や券売機などのユーザが所有しない装置も含むことができる。
【００６２】
次に，図４〜図６に基づいて，本実施形態にかかるリモートコントロール装置（以下，リモコン装置という）２００の構成について説明する。なお，図４は，本実施形態にかかるリモコン装置２００の構成を示すブロック図である。
【００６３】
まず，図４に示すように，リモコン装置の外観構成は，表示部２７０と，操作部２８０とからなる。表示部２７０は，ユーザインタフェースリストあるいはユーザインタフェースなどを表示するためのものであり，ディスプレイなどが含まれる。
【００６４】
操作部２８０は，リモコン装置２００の操作を行うための入力手段である。操作部２８０は，例えば，電源スイッチ２８２，メニュボタン２８４，上下左右移動及び確定キーボタン２８６，数字文字等入力手段２８８などから構成される。電源スイッチ２８２は，リモコン装置の電源をオンオフする手段である。メニュボタン２８４は，表示部２８４に，操作メニュを表示するボタンである。上下左右移動及び確定キーボタン２８６は，表示部に表示されたコンテンツ上でカーソルを移動させて，確定するボタンである。数字文字等入力手段２８８は，数字，文字等を入力する手段であり，例えば，操作装置ＩＤをユーザ固有のＩＤに変更したり，ユーザがユーザインタフェースリストを作成する場合に使用することができる。
【００６５】
なお，本実施形態においては，表示部２７０と操作部２８０とを別途に設けた例を挙げて説明したが，例えばタッチパネルなどを使用して表示部と操作部とを一体にして構成することもできる。
【００６６】
また，本実施形態にかかるリモコン装置２００の内部構成は，図５に示すように，無線インタフェース２１０，赤外線ユニット２２０，外部入出力部２３０，制御部２４０，記憶部２５０，内部バス２６０，ディスプレイ２７０，操作部２８０などから構成される。
【００６７】
無線インタフェース２１０は，操作対象装置との間で近距離無線通信（例えば，ＩＳＯ／ＩＥＣ  ＩＳ  １８０９で記載されているＮＦＣ：Ｎｅａｒ  Ｆｉｅｌｄ  Ｃｏｍｕｎｕｃａｔｉｏｎ）を実行するインタフェースである。無線インタフェース２１０は，アンテナ（図示せず），変調回路（図示せず）などを有しており，操作対象装置１００に対して所定の無線通信可能範囲内（例えば，０〜１０ｃｍ程度）にリモコン装置２００を近付けた場合にＮＦＣ通信を実行する。なお，本実施形態においては，操作対象装置１００の記憶部２５０に格納されたユーザインタフェースプログラム（あるいはユーザインタフェースプログラムのリスト）を受信することができる。
【００６８】
なお，本実施形態においては，ユーザインタフェースプログラムの送信方法をＩＳＯ／ＩＥＣ  ＩＳ  １８０９にあるＮＦＣを使用した例を挙げて説明するが，ＩＥＥＥ８０２．１１ｂなどの無線ＬＡＮなどの他の無線通信方法や，ＵＳＢなどの有線通信方法を使用することもできる。また，本実施形態においては，無線通信インタフェースは，単一の無線インタフェースを採用した例を挙げて説明するが，複数の無線インタフェースを有することもできる。
【００６９】
赤外線ユニット２２０は，操作対象装置１００に対して赤外線信号を送信するユニットである。かかる赤外線ユニット２２０は，リモコン装置の表示部に表示されたユーザインタフェースにより操作されたコマンドが赤外線信号を介して操作対象装置１００に送信される。
【００７０】
外部入出力部２３０は，制御部２４０の指示に基づいて，無線インタフェース２１０あるいは赤外線ユニット２２０の通信制御を実行する。制御部２４０は，操作対象装置１００の全体制御を実行する。かかる制御部２４０は，操作対象装置との間で近距離無線通信を実行した場合に,リモコン装置に操作対象装置のユーザインタフェースプログラムが既に保存されているか否かを判断することができる。このとき，操作対象装置のユーザインタフェースプログラムが既に記憶部２５０に保存されていると判断する場合には，リモコン装置の表示部２７０に当該操作対象装置のユーザインタフェースを表示させることができる。一方，操作対象装置のユーザインタフェースが保存されていないと判断する場合には，当該操作対象装置のユーザインタフェースを記憶部２５０に保存すると共に，当該操作対象装置のユーザインタフェースを表示部２７０に表示させることができる。
【００７１】
記憶部２５０は，図６に示すように，操作対象装置１００から無線インタフェース２１０を介して取得したユーザインタフェースからなるユーザインタフェースリストが格納されている。かかるユーザインタフェースリスト２５２は，リモコン装置ＩＤ２５２１，操作対象装置ＩＤ２５２２，ＵＩ識別番号２５２３，ユーザインタフェースプログラム２５２４などから構成される。
【００７２】
リモコン装置ＩＤ２５２１は，リモコン装置に対応付けられた固有の識別番号である。例えば，「ＲＩ」は，リモコン装置の形式である。「０１２３」はリモコン装置の製造番号を示す通番である。操作対象装置ＩＤ２５２２は，ユーザインタフェースプログラムを取得した操作対象装置のＩＤである。ＵＩ識別番号２５２３は，ユーザインタフェースプログラムに対応付けられた固有の識別番号であり，操作対象装置から取得したものをそのまま使用することもできるが，ユーザが操作部を操作してユーザの趣向に応じて書き換えることもできる。ユーザインタフェースプログラム２５２４は，操作対象装置１００から提供されて，リモコン装置２００の表示部２７０に操作表示画面を提供するプログラムである。本実施形態においては，ユーザインタフェースプログラム自体の構成については，本発明の特徴部ではないのでその説明は省略し，単にインタフェースプログラム０１，インタフェースプログラム２２，インタフェースプログラム３１とのみ記載している。
【００７３】
内部バス２６０は，リモコン装置２００内における各種信号の伝送手段である。表示部２７０及び操作部２８０については，既に，上記に説明しているので，その説明は省略する。
【００７４】
本実施形態にかかる表示部２７０に表示されるユーザインタフェースの一例を図７〜図９に示す。図７は，テレビの簡易操作が可能なユーザインタフェース（ユニバーサルデザインを考慮したユーザインタフェース）を示す。図７に示すユーザインタフェースは，テレビを操作するための最小限必要な操作ボタン（電源スイッチ，チャンネルボタン，音量）からなるユーザインタフェースである。また，図８に示すユーザインタフェースは，例えばデザイン性を重視した，個人嗜好を考慮したユーザインタフェースの一例である。図８に示すように，個人嗜好を考慮したユーザインタフェースは,例えば，テレビのチャンネルをスクロールバーで移動させて表示し，チャンネルをカーソルで選択するような画面からなる。
【００７５】
また，図９に示すように，ユーザがエアコンを操作する場合には，ユーザインタフェースリストからエアコンのユーザインタフェースを選択することにより，エアコン用のユーザインタフェースを表示することができる。図９に示すユーザインタフェースは，例えば，エアコンをリモートコントロールするための最小限必要な操作ボタンからなるエアコン用のユーザインタフェース（ユニバーサルデザインを考慮したユーザインタフェース）である。
【００７６】
上記リモコン装置においては，表示部に表示されたユーザインタフェースを操作部により操作するように構成しているが，タッチパネルなどのような表示部と操作部が一体となるように構成すれば，表示部に表示されたユーザインタフェース画面上での操作が可能となる。
【００７７】
本実施形態においては，各種操作対象装置内に複数のユーザインタフェースを記述したプログラムを保存してあるので，ユーザはリモコン装置の通信を実行するだけで各種操作対象装置から複数のユーザインタフェースから所望のユーザインタフェースを選択してリモコン装置に読み込むことができる。このことにより，ユーザは，１つのリモコン装置により，複数の操作対象装置を操作することができると共に，ユーザが所望のユーザインタフェースにより当該操作対象装置を簡易かつ容易に操作することができる。一方，装置提供者は，複数のユーザインタフェースプログラムを作成して，操作対象装置の記憶部に保存するので，各ユーザインタフェースごとに複数のリモコン装置を作製する必要がない。
【００７８】
次に，図１０及び図１１に基づいて，本実施形態にかかるユーザインタフェースプログラムを操作対象装置からリモコン装置にダウンロードする方法について説明する。なお，図１０は，本実施形態にかかるユーザインタフェースプログラムを操作対象装置からリモコン装置に送信する方法を示すフローチャートである。
【００７９】
まず，ステップＳ１０２で，ユーザは，リモコン装置２００を操作対象装置１００に近付けて，近距離無線通信（ＮＦＣ）を実行する（ステップＳ１０２）。なお，かかる近距離無線通信（ＮＦＣ）は，操作対象装置１００の無線インタフェース１１０とリモコン装置２００の無線インタフェース２１０を介して実行される。また，かかる近距離無線通信中に，パスワードなどの認証により操作するユーザ認証を行ってから通信を実行することもできる。
【００８０】
次に，ステップＳ１０４で，リモコン装置２００は，リモコン装置２００に既にユーザインタフェースプログラムが登録されているか否かを判断する（ステップＳ１０４）。既に，ユーザインタフェースプログラムが登録されていると判断される場合には，ステップＳ１１６に移行し，操作対象装置ＩＤ２５２２から登録されているユーザインタフェースを表示する（ステップＳ１１６）。
【００８１】
一方，リモコン装置２００にユーザインタフェースプログラムが登録されてないと判断される場合には，ステップＳ１０６に移行し，デフォルトの設定か否か（即ち,ユニバーサルデザインモードであるか否か）を判断する（ステップＳ１０６）。
【００８２】
デフォルトの設定である（即ち,ユニバーサルデザインモードである）と判断される場合には，ステップ１０８に移行して，ユニバーサルデザインを考慮したユーザインタフェースプログラムを選択し，選択したユーザインタフェースプログラムをリモコン装置２００に対して近距離無線通信により送信する（ステップＳ１０８）。
【００８３】
その後，ステップＳ１１０に移行し，リモコン装置２００は，操作対象装置ＩＤ，ＵＩ識別番号，ユーザインタフェースプログラム，及びユーザインタフェースプログラムに対応付けられたＵＩ識別番号を記憶部２１０に保存し（ステップＳ１１４），ステップＳ１１６で，リモコン装置２００は，前回使用したユーザインタフェース，または選択されたユーザインタフェースを表示部に表示する（ステップＳ１１６）。
【００８４】
一方，ステップＳ１０６で，デフォルトの設定でない（即ち,ユニバーサルデザインモードでない）と判断される場合には，ステップＳ１１０に移行して，リモコン装置２００は，操作対象装置１００からユーザインタフェースプログラムのリストを読み込む（ステップＳ１１０）。なお，例えば，自動販売機などのようなユーザインタフェースが共通のものに関しては，操作対象装置ＩＤが異なっている場合であっても，新たにユーザインタフェースプログラムをリモコン装置にロードする必要がない。自動販売機の場合は商品リストのみをリモコン装置２００に読み込んで既存のユーザインタフェースを使用して表示部の画面上に表示することもできる。このとき，同種の操作対象装置をグルーピングした識別番号（ＩＤ）を使用して識別することもできる。
【００８５】
さらに，ステップＳ１１２で，ユーザは，リモコン装置に表示されたユーザインタフェースプログラムのリストから所望のユーザインタフェースを選択する（ステップＳ１１２）。かかるリモコン装置２００の表示部２７０にユーザインタフェースプログラムのリストを図１１に示す。図１１に示すように，１つの操作対象装置（ＶＥＧＡ６１Ｓ０１２３）に対する複数のインタフェースプログラム（ＳＮＹＴＶＵＮＶ０１，ＳＮＹＴＶＹＮＧ０１，ＳＮＹＴＶＹＮＧ０２・・・・）が表示される。
【００８６】
その後，ステップＳ１１４で，リモコン装置２００は，操作対象装置ＩＤ，ＵＩ識別番号，ユーザインタフェースプログラム，及びユーザインタフェースプログラムに対応付けられたＵＩ識別番号を記憶部２１０に保存する（ステップＳ１１４）。
【００８７】
最後に，ステップＳ１１６で，リモコン装置２００は，前回使用したユーザインタフェース，または選択されたユーザインタフェースを表示部に表示する（ステップＳ１１６）。
【００８８】
上記のように，リモコン装置を操作対象装置に近付けるという動作をするだけで，複数の操作対象装置のユーザインタフェースプログラムをリモコン装置に読み込むことができる。
【００８９】
次に，図１２及び図１３に基づいて，本実施形態にかかるリモコン装置による操作対象装置の操作方法について説明する。なお，図１２は，本実施形態にかかるリモコン装置による操作対象装置の操作方法を示すフローチャートである。なお，リモコン装置の記憶部には，既にユーザインタフェースプログラムが格納されており，ユーザあるいは装置提供者がつけた装置名または操作対象装置ＩＤから操作対象装置をリストの中から選択して操作することができる。以下，説明する。
【００９０】
まず，ステップＳ２０２で，ユーザは，リモコン装置の電源をＯＮにする（ステップＳ２０２）。
【００９１】
次いで，ステップＳ２０４で，ユーザは，リモコン装置の操作部を操作して，ユーザインタフェースリストを表示部に表示する（ステップＳ２０４）。このとき，例えば，図１３に示すように，「リビングのＴＶ」，「ＭＹテレビ」，「エアコン」，「自動販売機」など，ユーザが書き換えた操作対象装置名を表示することができる。また，ＵＩ識別名（あるいはユーザが書き換えたＵＩ識別名）を表示することもできる。
【００９２】
その後，ステップＳ２０６で，ユーザは，例えば１３に示すユーザインタフェースリストから所望のユーザインタフェースを選択する（ステップＳ２０６）。
【００９３】
さらに，ステップＳ２０８で，リモコン装置は，例えば，図７〜図９に示すように，選択されたユーザインタフェースを表示部に表示する（ステップＳ２０８）。
【００９４】
最後に，ステップＳ２１０で，ユーザは，リモコン装置の表示部に表示されたユーザインタフェースを使用して，操作対象装置の遠隔操作を実行する（ステップＳ２１０）。
【００９５】
上記のように，リモコン装置の記憶部には，既にユーザインタフェースプログラムが格納されているので，ユーザあるいは装置提供者がつけた装置名または操作対象装置名から操作対象装置をリストの中から選択して，ユーザが所望のユーザインタフェースリストを使用して操作対象装置を操作することができる。
【００９６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００９７】
上記実施形態においては，ＮＦＣ通信を使用してユーザインタフェースプログラムをリモコン装置に送信する構成を例に挙げて説明したが，かかる例には限定されない。例えば操作対象装置とリモコン装置を有線接続することによりユーザインタフェースプログラムをリモコン装置に送信することもできる。
【００９８】
また，リモコン装置は，操作対象装置から取得したユーザインタフェースプログラムを，他のリモコン装置に対して送信可能に構成することもできる。このことにより，操作対象装置がユーザの近くに存在しない場合であっても，ユーザ同士が接触することにより，簡易かつ容易にユーザインタフェースプログラムを取得することができる。
【００９９】
また，リモコン装置は，操作対象装置との間で近距離無線通信を実行した場合に,リモコン装置に操作対象装置のユーザインタフェースプログラムが既に保存されているか否かを判断可能であるように構成することができる。このとき，リモコン装置は，操作対象装置のユーザインタフェースプログラムが既に保存されていると判断する場合には，リモコン装置の表示部に当該操作対象装置のユーザインタフェースを表示することができる。また，リモコン装置は，操作対象装置のユーザインタフェースが保存されていないと判断する場合には，当該操作対象装置のユーザインタフェースをリモコン装置に保存すると共に，当該操作対象装置のユーザインタフェースをリモコン装置の表示部に表示することができる。このことにより，リモコン装置に既に所望のユーザインタフェースプログラムが保存されているか否かに拘わらず，近付けるという同じ動作でユーザインタフェースプログラムの選択もリモコン装置への読み込みも行うことができる。
【産業上の利用可能性】
【０１００】
本発明は，リモートコントロールシステム，操作対象装置，リモコン装置及びリモートコントロール方法に適用可能である。
【図面の簡単な説明】
【０１０１】
【図１】図１は，第１の実施の形態にかかるリモートコントロールシステム１０の構成を示すブロック図である。
【図２】図２は，第１の実施の形態にかかる操作対象装置２００の構成を示すブロック図である。
【図３】図３は，第１の実施の形態にかかる操作対象装置１００のユーザインタフェースプログラムリスト１５２の構成を示す説明図である。
【図４】図４は，第１の実施の形態にかかるリモコン装置の外観構成を示す正面図である。
【図５】図５は，第１の実施の形態にかかるリモコン装置の内部構成を示すブロック図である。
【図６】図６は，第１の実施の形態にかかるリモコン装置の記憶部に格納される，操作対象装置１００から取得したユーザインタフェースリストの構成を示す説明図である。
【図７】図７は，第１の実施の形態にかかるテレビの簡易操作が可能なユーザインタフェース（例えば，老人用のユーザインタフェース）の一例を示す説明図である。
【図８】図８は，第１の実施の形態にかかるテレビの操作が可能な他のユーザインタフェースの一例を示す説明図である。
【図９】図９は，第１の実施の形態にかかるエアコンの操作が可能なユーザインタフェースの一例を示す説明図である。
【図１０】図１０は，第１の実施の形態にかかるユーザインタフェースプログラムを操作対象装置からリモートコントロール装置に送信方法を示すフローチャートである。
【図１１】図１１は，第１の実施の形態にかかるリモコン装置２００の表示部２７０に表示されるユーザインタフェースプログラムのリストの一例を示す説明図である。
【図１２】図１２は，第１の実施の形態にかかるリモコン装置による操作対象装置の操作方法を示すフローチャートである。
【図１３】図１３は，第１の実施の形態にかかるリモコン装置２００の表示部２７０に表示されるユーザインタフェースプログラムのリストの一例を示す説明図である
【符号の説明】
【０１０２】
１０  リモートコントロールシステム
１００  操作対象装置
１１０  無線インタフェース
１２０  赤外線ユニット
１３０  外部入出力部
１４０  制御部
１５０  記憶部
１５２  ユーザインタフェースプログラムリスト
１６０  内部バス
１７０  他の操作対象装置回路
２００  リモコン装置
２１０  無線インタフェース
２２０  赤外線ユニット
２３０  外部入出力部
２４０  制御部
２５０  記憶部
２５２  ユーザインタフェースリスト
２６０  内部バス
２７０  ディスプレイ
２８０  操作部
【図１】
2005303659.tif 000003
【図２】
2005303659.tif 000004
【図３】
2005303659.tif 000005
【図４】
2005303659.tif 000006
【図５】
2005303659.tif 000007
【図６】
2005303659.tif 000008
【図７】
2005303659.tif 000009
【図８】
2005303659.tif 000010
【図９】
2005303659.tif 000011
【図１０】
2005303659.tif 000012
【図１１】
2005303659.tif 000013
【図１２】
2005303659.tif 000014
【図１３】
2005303659.tif 000015